(57)【要約】  【課題】    止水、原水吐出、浄水吐出の３状態のいずれかに切り換えることができるようにして、原水を流路の順方向へ供給することにより浄水吐出では水質を浄化し、原水吐出では浄水器内の洗浄を行ない、止水時には浄水の滞留箇所を限定できるようにする複合水栓、ビルトイン型浄水器及び浄水装置を提供することを課題とする。  【解決手段】    複合水栓は、一次側原水を通水する流路を開閉する遮断弁と、この遮断弁の下流側で水栓外部に出てから戻ってくる水の帰還流路を複数形成し、この複数の帰還流路のいずれか１つを選択的に開いて選択された帰還流路のみ通水可能にする流路切換弁とを、シングルレバーにより同時に動作するように弁体可動部を一体的に形成して内蔵するように構成し、ビルトイン型浄水器は前記複合水栓を接続できるように構成し、浄水装置は前記複合水栓と前記ビルトイン型浄水器とを備えるように構成する。【選択図】        図２
2005172169.tif 000002
【特許請求の範囲】
【請求項１】
一次側原水を通水する流路を開閉する遮断弁と、この遮断弁の下流側で水栓外部に出てから戻ってくる水の帰還流路を複数形成し、この複数の帰還流路のいずれか１つを選択的に開いて選択された帰還流路のみ通水可能にする流路切換弁とを、シングルレバーにより同時に動作するように弁体可動部を一体的に形成して内蔵したことを特徴とする複合水栓。
【請求項２】
一次側原水を水栓部を経て浄水器側へ通水する流路を開閉する遮断弁と、この遮断弁の下流側で水栓外部に出て前記浄水器側から戻ってくる浄水及び原水の帰還流路を各独立に形成し、これらの帰還流路のいずれか１つを選択的に開いて選択された帰還流路のみ通水可能にする流路切換弁とを一体的に内蔵したことを特徴とする請求項１記載の複合水栓。
【請求項３】
一定方向への回動操作によって止水、原水吐出、浄水吐出のいずれかの状態に切り換える水栓部と、この水栓部の頂部から垂直方向へ延び大きく湾曲して下方へ吐出口を向けた吐出パイプ部とを備えたことを特徴とする請求項２記載の複合水栓。
【請求項４】
浄水及び原水の流路方向と平行な軸を中心にして回動する可動弁と、この可動弁に平行に設けられて一面を前記可動弁の一面に密接する固定弁とを設け、前記可動弁と前記固定弁との密接面を前記軸に垂直な面として形成したことを特徴とする請求項１乃至請求項３のいずれかに記載の複合水栓。
【請求項５】
レバー操作により水栓軸の軸周りに回動する回転軸と、この回転軸に係合して同一方向へ回動する可動弁と、一面を前記可動弁の上流側の面に同軸的に密接する固定弁とを備えたことを特徴とする請求項４記載の複合水栓。
【請求項６】
前記可動弁には上流側の面に原水の方向変更用の溝を連通路として刻設するとともにこの連通路と軸対称位置に下流側の面まで貫通する貫通孔を穿設し、前記固定弁には上流側の面から下流側の面まで貫通するそれぞれ一様な流路面積を有する帰還流路側の浄水流路と原水流路とを隣り合わせに配置して穿設し、これらの浄水流路と原水流路との軸対称位置に、上流側の面から下流側の面まで貫通する一次側原水を通水する原水流入路と、流入した一次側原水を浄水器側へ流出させる原水流出路とを、隣り合わせに配置して穿設したことを特徴とする請求項４又は請求項５に記載の複合水栓。
【請求項７】
前記固定弁の下流側の面と前記可動弁の上流側の面とは、前記可動弁の連通路を前記固定弁の原水流入路と原水流出路とに対向させて配置するとともに、前記可動弁の貫通孔を前記固定弁の原水流路と浄水流路とに対向させて配置し、軸心から前記原水流路と前記浄水流路との各中心位置までの開き角が、軸心から前記原水流入路と前記原水流出路との各中心位置までの開き角よりも小さく設定したことを特徴とする請求項６に記載の複合水栓。
【請求項８】
前記可動弁の連通路及び貫通孔と前記固定弁に穿設する各流路との断面形状を、外周面側が長辺となる扇型に形成したことを特徴とする請求項７に記載の複合水栓。
【請求項９】
一次側原水を通水する流路と接続する原水入口と、流出する浄水の帰還流路と接続する浄水出口と、流出する原水の帰還流路と接続する原水出口とを各別に設け、前記原水入口から浄化材入りカートリッジの上流側表面を通過して前記原水出口に至る原水流路と、前記原水入口から前記浄化材入りカートリッジの上流側表面に至りさらに前記浄化材入りカートリッジを透過して前記浄水出口に至る浄水流路とを形成したことを特徴とするビルトイン型浄水器。
【請求項１０】
前記請求項１乃至請求項８のいずれかに記載のシングルレバー操作の複合水栓と前記請求項９記載のビルトイン型浄水器とを備え、前記複合水栓の原水流出路とビルトイン型浄水器の原水入口とを接続し、前記複合水栓の浄水流路とビルトイン型浄水器の浄水出口とを接続し、前記複合水栓の原水流路とビルトイン型浄水器の原水出口とを接続して、前記複合水栓と前記ビルトイン型浄水器との間の流路を連通したことを特徴とする浄水装置。
【発明の詳細な説明】
【技術分野】
【０００１】
本発明は、台所流し台の内部に浄水器部分を収納し水道水を浄化する浄水装置に用いられるシングルレバー操作の複合水栓、ビルトイン型浄水器及びビルトイン型浄水器を備えた浄水装置に関する。
【背景技術】
【０００２】
従来、ビルトイン型浄水器用の水栓には、幾つかの型式の水栓があるが、例えば特許第3161974号公報に記載されているようなアンダーシンク型浄水器用水栓があった。
この水栓は、流し台の下側に設けられている浄水器と、１つの切換えレバーによって浄水、逆洗浄、止水の３つの状態を切り換えることができ、浄水器に水を通過させることによって混合水の水質を浄化し、また逆方向に湯を通過させることによって浄水器を洗浄することができるようにした水栓について開示されている。
また、特開平8−151668号公報には浄水器付き湯水混合水栓が記載されている。この例では、シングルレバー操作により湯、水、及び湯と水との混合水（以下、単に混合水という）のいずれかが流し台の下側に設けられている浄水器に送られて浄化されるか、或は浄水器に送られないでそのまま吐出されるように選択できる水栓について開示されている。
【０００３】
また、実公平06-40383号公報には水処理器付単水栓が記載されている。この例では、原水導入流路、原水供給流路、浄水戻り流路が設けられ、水栓の吐水／止水を切り換えるバルブと、原水／浄水を切り換えるバルブが各別に配設された水栓が開示されている。
この水処理器付単水栓の浄水吐出時における水の通過経路は、原水導入流路から原水供給流路を通過し、水処理器を経由して吐出管へと向かい、原水／浄水切換バルブを切り換えて原水を吐出する場合では、水は原水導入口から原水供給流路の途中まで通過した後、原水／浄水切換バルブを経由して吐水管へと向かうように形成されている。
【０００４】
また、実用新案登録第2521538号公報には浄水器用複合水栓が記載されている。この例では、原水の入口、浄水器への原水供給口、浄水器からの浄水出口、浄水や原水を吐出する吐出口を有する弁部材を組み込んだ浄水器用複合水栓が開示されている。
この浄水器用複合水栓では、１つの操作部材の操作によって浄水と原水の吐出／止水を選択可能にしている。
この複合水栓における水の通過経路は、浄水吐出時では原水の入口から弁部材を介して浄水器へと向かい、浄水器で浄化された浄水が弁部材に戻り、弁部材を介して吐出口へと向かい、原水を吐出する場合では浄水器を経由せずに原水の入口から弁部材を介して吐出口へと向かうように形成されている。
【０００５】
【特許文献１】特許第3161974号公報
【特許文献２】特開平 8−151668号公報
【特許文献３】実公平06-40383号公報
【特許文献４】実用新案登録第2521538号公報
【０００６】
〔問題点〕
このような従来の技術における水栓では、１つのレバーを操作することにより、止水、原水吐出、浄水吐出を選択でき（特許文献1,2,4）、吐水／止水用と浄水／原水用との２つの操作部材を用意して各別に吐水／止水と浄水／原水との切換えを行なうことにより、原水吐出と浄水吐出とを選択でき（特許文献3）、また、この点に加えて、湯を逆流させることによって浄水器の洗浄を行なうもの（特許文献1）がある。
しかし、浄水器の洗浄を行なうことができるものであっても、機能が多機能になると構造が複雑となるから、水栓の構成を容易にするため、単なる湯水混合水栓と、水質浄化とカートリッジ洗浄とを行なう水栓とを別の水栓として構成するようにして、各水栓の構造を簡素化しているが、水栓の使用個数が多くなるため、全体としてはコスト高となる。
また、この浄水器の洗浄を行なうことができる水栓にあっては、水質浄化には原水を流路の順方向に供給して浄化水を流出させ、浄水器洗浄では湯を流路の逆方向へ供給することにより洗浄するようにしているため、その流路構成並びにレバー操作が複雑化する。  そして、浄水器洗浄時の湯垢等の汚染物は、浄水用配管の内部に付着し堆積するようになり、浄化水の吐出時に付着し堆積した汚染物が剥離し流出する虞がある。
【発明の開示】
【発明が解決しようとする課題】
【０００７】
本発明は、従来の技術における前記問題点を解消するためのものであり、そのために設定した具体的な課題は、１つのレバーを操作することにより止水、原水吐出、浄水吐出の３状態のいずれかに切り換えることができるようにして、原水を流路の順方向へ供給することにより浄水吐出では水質を浄化し、原水吐出では浄水器内の洗浄を行ない、止水時には浄水の滞留箇所を限定するとともに原水中の塩素等の殺菌成分により雑菌の増殖を抑え、流路内の清浄度の維持を容易に図ることができるようにする複合水栓、ビルトイン型浄水器及び浄水装置を提供することにある。
【課題を解決するための手段】
【０００８】
前記課題が効果的に解決される複合水栓、ビルトイン型浄水器及び浄水装置を特定するために必要と認める事項の全てが網羅されて具体的に構成された課題解決手段を以下に示す。すなわち、
本発明の複合水栓に係る第１の課題解決手段は、一次側原水を通水する流路を開閉する遮断弁と、この遮断弁の下流側で水栓外部に出てから戻ってくる水の帰還流路を複数形成し、この複数の帰還流路のいずれか１つを選択的に開いて選択された帰還流路のみ通水可能にする流路切換弁とを、シングルレバーにより同時に動作するように弁体可動部を一体的に形成して内蔵したことを特徴とするものである。
【０００９】
同上複合水栓に係る第２の課題解決手段は、一次側原水を水栓部を経て浄水器側へ通水する流路を開閉する遮断弁と、この遮断弁の下流側で水栓外部に出て前記浄水器側から戻ってくる浄水及び原水の帰還流路を各独立に形成し、これらの帰還流路のいずれか１つを選択的に開いて選択された帰還流路のみ通水可能にする流路切換弁とを一体的に内蔵したことを特徴とする。
【００１０】
同上複合水栓に係る第３の課題解決手段は、一定方向への回動操作によって止水、原水吐出、浄水吐出のいずれかの状態に切り換える水栓部と、この水栓部の頂部から垂直方向へ延び大きく湾曲して下方へ吐出口を向けた吐出パイプ部とを備えたことを特徴とする。
【００１１】
同上複合水栓に係る第４の課題解決手段は、浄水及び原水の流路方向と平行な軸を中心にして回動する可動弁と、この可動弁に平行に設けられて一面を前記可動弁の一面に密接する固定弁とを設け、前記可動弁と前記固定弁との密接面を前記軸に垂直な面として形成したことを特徴とする。
【００１２】
同上複合水栓に係る第５の課題解決手段は、レバー操作により水栓軸の軸周りに回動する回転軸と、この回転軸に係合して同一方向へ回動する可動弁と、一面を前記可動弁の上流側の面に同軸的に密接する固定弁とを備えたことを特徴とする。
【００１３】
同上複合水栓に係る第６の課題解決手段は、前記可動弁には上流側の面に原水の方向変更用の溝を連通路として刻設するとともにこの連通路と軸対称位置に下流側の面まで貫通する貫通孔を穿設し、前記固定弁には上流側の面から下流側の面まで貫通するそれぞれ一様な流路面積を有する帰還流路側の浄水流路と原水流路とを隣り合わせに配置して穿設し、これらの浄水流路と原水流路との軸対称位置に、上流側の面から下流側の面まで貫通する一次側原水を通水する原水流入路と、流入した一次側原水を浄水器側へ流出させる原水流出路とを、隣り合わせに配置して穿設したことを特徴とする。
【００１４】
同上複合水栓に係る第７の課題解決手段は、前記固定弁の下流側の面と前記可動弁の上流側の面とは、前記可動弁の連通路を前記固定弁の原水流入路と原水流出路とに対向させて配置するとともに、前記可動弁の貫通孔を前記固定弁の原水流路と浄水流路とに対向させて配置し、軸心から前記原水流路と前記浄水流路との各中心位置までの開き角が、軸心から前記原水流入路と前記原水流出路との各中心位置までの開き角よりも小さく設定したことを特徴とする。
【００１５】
同上複合水栓に係る第８の課題解決手段は、前記可動弁の連通路及び貫通孔と前記固定弁に穿設する各流路との断面形状を、外周面側が長辺となる扇型に形成したことを特徴とする。
【００１６】
本発明のビルトイン型浄水器に係る課題解決手段は、一次側原水を通水する流路と接続する原水入口と、流出する浄水の帰還流路と接続する浄水出口と、流出する原水の帰還流路と接続する原水出口とを各別に設け、前記原水入口から浄化材入りカートリッジの上流側表面を通過して前記原水出口に至る原水流路と、前記原水入口から前記浄化材入りカートリッジの上流側表面に至りさらに前記浄化材入りカートリッジを透過して前記浄水出口に至る浄水流路とを形成したことを特徴とするものである。
【００１７】
本発明の浄水装置に係る課題解決手段は、前記請求項１乃至請求項８のいずれかに記載のシングルレバー操作の複合水栓と前記請求項９記載のビルトイン型浄水器とを備え、前記複合水栓の原水流出路とビルトイン型浄水器の原水入口とを接続し、前記複合水栓の浄水流路とビルトイン型浄水器の浄水出口とを接続し、前記複合水栓の原水流路とビルトイン型浄水器の原水出口とを接続して、前記複合水栓と前記ビルトイン型浄水器との間の流路を連通したことを特徴とするものである。
【発明の効果】
【００１８】
本発明の複合水栓に係る第１の課題解決手段では、遮断弁と流路切換弁とをシングルレバーにより同時に動作するように形成したから、遮断弁を開くと一次側原水を通水するとともに、水栓外部に出てから戻ってくる水の帰還流路のうちのいずれかを開いて通水可能にすることによって、遮断弁を通過して水栓外部に出てから戻ってきた水を、その戻り水の種類によって切り換えて使用することができ、また、シングルレバーにより同時に遮断弁と流路切換弁とを動作することができるから、操作性が向上するとともに帰還水の混同使用が避けられて操作の確実性を向上することができる。
帰還水が、例えば、浄水器からの戻り水であれば、浄水器により浄化された水又は浄水器を洗浄して汚れた水等を選択的に通水することができ、浄化水ならば飲用水として吐出し、汚水ならば排水することができる。
【００１９】
同上複合水栓に係る第２の課題解決手段では、遮断弁により一次側原水の流路を閉じたり、開いたりすることによって原水の流れを制御するとともに、流路を開いて原水を浄水器側へ導入させる時には、流路切換弁により浄水吐出か原水吐出かを選択することによって、原水か浄水かのいずれかを吐出することができ、１つの水栓によって流路の遮断と切換が選択的に実行できる。
【００２０】
同上複合水栓に係る第３の課題解決手段では、吐出パイプ部が水栓部の上部に設けられた水栓であっても、吐出パイプ部の下側に設けられたシングルレバーの操作が容易にでき、シングルレバー操作によって流路の遮断、浄水器側への流路の開放、浄水吐出か原水吐出か等を容易に選択でき、原水か浄水かのいずれかを吐出パイプ部から吐出することができる。
【００２１】
同上複合水栓に係る第４の課題解決手段では、可動弁と固定弁とが軸に垂直な面で密接し、軸周りに回転する可動弁によって流路の選択が行なわれて、流路の遮断、浄水器側への流路の開放、及び浄水吐出か原水吐出かの選択等が容易に実行できる。
【００２２】
同上複合水栓に係る第５の課題解決手段では、レバー操作により水栓の軸心周りに回動軸を回動すると、固定弁に対して相対的に回動弁が回動して、順方向へのレバー操作では止水状態から原水吐出と浄水吐出とのいずれかを順に選択することができ、また反対方向へのレバー操作により原水吐出と浄水吐出とのいずれか一方から止水状態へ戻すことができる。
【００２３】
同上複合水栓に係る第６の課題解決手段では、止水時に固定弁の下流側の面に穿設された原水流入路が可動弁の上流側の面により閉鎖されて原水の流入を阻止することができ、浄水吐出時には可動弁の連通路を固定弁の原水流入路と原水流出路とに対向するように配置されるとともに、固定弁の浄水流路に可動弁の貫通孔が対向するように配置されて、複合水栓に流入した原水が可動弁により方向を変えて浄水器に流入するようになり、浄水流路が開いているため原水が浄化材を透過して浄化され、その後複合水栓に戻って浄水流路を経て吐水パイプの先端から吐出し、また、原水吐出時には可動弁の連通路を固定弁の原水流入路と原水流出路とに対向するように配置されるとともに、固定弁の原水流路に可動弁の貫通孔が対向するように配置されて、複合水栓に流入した原水が可動弁により方向を変えて浄水器に流入するようになり、原水流路が開いているため原水は浄水材上流側表面を通過し、その流れにより汚染物を除去して搬送し、再度複合水栓を経由して吐水パイプの先端から吐出することにより、浄化材上流側表面に堆積した汚染物を除去することができる。
これにより、原水を流路の順方向へ供給するだけで、浄水吐出時には水質を浄化し、原水吐出時には水質浄化時に堆積した汚染物が除去されて、浄水器内を洗浄することができるとともに配管中の汚染物の付着或は堆積を防ぎ、原水の水質浄化と浄水器の洗浄と流路の清浄度の向上等を容易にすることができる。
【００２４】
同上複合水栓に係る第７の課題解決手段では、レバー操作に応じて固定弁に対して可動弁が相対的に回動すると、流入側に対して吐出側の方が早く切り換わり、原水と浄水との流出に際して原水の流入側の変化がなく、原水の供給を遮断することなく原水又は浄水を切り換えて吐出することができる。
【００２５】
同上複合水栓に係る第８の課題解決手段では、各流路が断面形状を扇型に形成したことにより、円盤状に形成された固定弁及び可動弁に、流入口、流出口等となる孔を大きく穿設することができ、流路面積を大きくすることができて、吐出時の抵抗を減少させることができる。
【００２６】
本発明に係るビルトイン型浄水器の課題解決手段では、一次側原水を通水する流路を介して原水入口から流入した原水が、浄水吐出時に浄水流路を通過することにより浄化されて浄水出口から浄水の帰還流路へ流出し、原水吐出時には原水流路を通過することにより浄化材入りカートリッジの上流側表面を含む原水出口までの浄水器内部を洗浄して原水の帰還流路へ流出することができ、水質浄化能力を向上させるとともに浄化材の寿命を長くすることができる。
【００２７】
本発明の浄水装置に係る課題解決手段では、浄水器側の原水入口と水栓側の原水流出路とを接続し、浄水器側の浄水出口と水栓側の浄水流路とを接続し、浄水器側の原水出口と水栓側の原水流路とを接続して、シングルレバー操作の複合水栓とビルトイン型浄水器とを連通し、原水と浄水との吐出を容易に選択できるとともに、浄水吐出時には水質を浄化し、原水吐出時には水質浄化時に付着或は堆積した汚染物を流出させて、浄水器内部を洗浄することができ、シングルレバー操作で容易に原水の水質浄化及び原水による浄水器内部の洗浄が実現できるとともに、止水時には流路内に滞留した原水中の塩素分により雑菌の繁殖を効果的に抑制することができる。
【発明を実施するための最良の形態】
【００２８】
本発明における以下の実施形態では、中心軸周りに弁体が回動する遮断弁及び切換弁を有する水栓を備えた場合について説明する。
なお、この実施形態は、発明の主旨をより良く理解させるため具体的に説明するものであり、特に指定のない限り、特許請求の範囲の記載事項を限定するものではない。
【００２９】
〔構成〕
シングルレバー操作可能に形成した実施形態の複合水栓１０は、図１乃至３に示すように、図示しない流し台の天板から上方へ突出する水栓部１１と、この水栓部１１の最上部から上方へ突き出し、さらに大きく湾曲させて先端部の吐出口１２ａを下方に向けた吐出パイプ部１２とからなる。
水栓部１１は、内部に原水と浄水のどちらか一方を吐出するための切換弁本体２０を収容する。この切換弁本体２０には、下端に本体アダプター１３を設け、上端部にはバルブ固定アダプター１４を螺合し、バルブ固定アダプター１４の外側を覆うように袋ナット状に形成されたパイプ固定ナット１５を螺合する。
【００３０】
水栓部１１では、パイプ固定ナット１５の下方に位置する切換弁本体２０の外周面に、上中下に３分割した本体カバー上１６、本体カバー中１７、本体カバー下１８を外嵌する。このうち本体カバー下１８は本体アダプター１３の外周面を被覆するカバーを形成する。
また、本体アダプター１３は天板取付ユニット１９を下方からはめ込むことができるように厚肉円筒状に形成する。切換弁本体２０に本体アダプター１３を取り付けるには、本体アダプター１３の外周面から固定ビス１３ａを螺合し、固定ビス１３ａの先端部を切換弁本体２０に設けられた凹部２０ａに突入させることによって固定する。
【００３１】
切換弁本体２０は、内部に、ケース下２１とケース上２２との２つに分割された切換弁ケースを収容し、この切換弁ケースの中に固定弁２３、可動弁２４、この可動弁２４を動作させる回動軸部材２５等が収容され、回動軸部材２５にはレバーハンドル２６を切換弁本体２０の外側方から挿入して螺合し、レバーハンドル２６を操作することにより、外部から回動軸部材２５に切換弁本体２０の中心軸回りの駆動力を与えることができるようにする。
【００３２】
回動軸部材２５のレバーハンドル取付部を除く非穿孔部位には、中心軸に平行な方向に小孔を穿設し、この小孔にはコイルスプリング２７を介して先端が球状の丸棒状部材２８を突出埋没自在に埋め込み、ケース上２２の上端内面に刻設された窪み２２ａに挿入抜出自在に設けて、レバーハンドル２６を操作した時のクリック感を与える機構を形成する。
さらに、切換弁本体２０の側面には、レバーハンドル２６が貫通する貫通孔２０ｂを、少なくともレバーハンドル２６の動作に必要な中心角の範囲まで含む周方向の長さを有する長孔に形成する。
【００３３】
バルブ固定アダプター１４とパイプ固定ナット１５には、回動軸部材２５の中心部に穿設された通水路２５ａと同軸的に穿設された吐水側通水路１４ａ，１５ａを形成するとともに、バルブ固定アダプター１４の吐水側通水路１４ａの上端部には吐出パイプ部１２の下端部を軸周りへ回動自在かつ水密に嵌着するとともにパイプ固定ナット１５の吐水側通水路１５ａには軸周りへ回動自在かつ水密に内嵌して、湾曲した吐水パイプの向きが垂直軸周りに任意の方向へ向けられるようにする。
本体カバー上１６には、レバーハンドル２６が貫通する孔１６ａを穿設し、切換弁本体２０の貫通孔２０ｂを穿設した位置に外嵌して、レバーハンドル２６の操作時に、回動軸部材２５と同様に中心軸周りに回動するように組み立てる。そして、レバーハンドル２６の操作時に切換弁本体２０の側面に形成された貫通孔２０ｂが露出しないように、切換弁本体２０の貫通孔形成箇所の近傍が本体カバー上１６により覆い隠される。
【００３４】
切換弁本体２０の下端部とケース下２１には、本体アダプター１３の中央空洞部及び天板取付ユニット１９の孔を介して、一次側原水を通水する原水流入路３１と、浄水器４０の原水入口４０ｃと連通して一次側原水を通水する原水流出路３２（図４参照）と、浄水器４０の浄水出口４０ａと連通する浄水流路３３と、浄水器４０の原水出口４０ｂと連通する原水流路３４（図４参照）とを穿設する。
【００３５】
切換弁の弁座と弁体とを形成する固定弁２３と可動弁２４とは、必要な窪み又は貫通孔を設けた厚肉円板に形成する。
固定弁２３は、図５に示すように、外周面に周上等分の４ヶ所に幅の広い矩形２つと幅の狭い矩形２つを隣り合わせに並べた矩形状の切込部２３ａ，２３ａ，２３ｂ，２３ｂを刻設し、平面形状が扇型に形成されて上面から下面まで略同一な流路面積で貫通する孔２３ｃ，２３ｄ，２３ｅ，２３ｆを、中心（軸心）から等距離の位置（同一円周上）で、かつ軸対称の位置に２個づつ横並びに穿設する。各孔の大きさは、孔２３ｃ，２３ｄとが同じ大きさに形成され、孔２３ｅ，２３ｆが同じ大きさに形成され、孔２３ｃ，２３ｄと孔２３ｅ，２３ｆとでは後者のほうが大きくなるように形成する。
固定弁２３の孔２３ｃ，２３ｄ，２３ｅ，２３ｆは、それぞれ浄水器下流側の浄水流路、原水流路、浄水器上流側の原水流入路、原水流出路として用いられる。
【００３６】
可動弁２４は、図６に示すように、外周面に周上等分の４ヶ所に矩形状の凹み部２４ａを刻設し、上面には一定の深さの円形状窪み２４ｂを形成し、その円形状窪み２４ｂから湾曲部の中心線を共通にした大小２つの扇形の穴２４ｃ，２４ｄを組み合わせた貫通孔２４ｅを形成する。貫通孔２４ｅは大きい扇形の穴２４ｃを下流側から穿設し、小さい扇形の穴２４ｄを上流側から穿設して、両方の穴２４ｃ，２４ｄが中間位置で交わり貫通するように位置を調整する。さらに、上流側の面には小さい扇形の穴２４ｄの他に、小さい扇形の穴２４ｄと軸対称の位置に固定弁２３の２つの孔２３ｅ，２３ｆの両方を同時に覆う大きさを有する扇形に形成された連通路２４ｆを刻設して、一次側原水を通水する流路を孔２３ｅから流入した原水を連通路２４ｆにより変向して孔２３ｆを介して浄水器側へ流出するように形成する。
【００３７】
可動弁２４と固定弁２３とは、組み合わされたときの相対的な位置によって、それぞれに穿設された孔の組合せができ、必要な流路が形成される。
図４に示すように、可動弁２４が回動され、可動弁２４の貫通孔２４ｅを形成する穴２４ｃ，２４ｄが固定弁２３の孔２３ｃ，２３ｄのいずれか一方と重なる位置になると、浄水器下流側の流路が通水可能になり浄水か原水のいずれかが吐出できるようになる。
このとき、固定弁２３の孔２３ｅ，２３ｆに対向した可動弁２４の位置に連通路２４ｆ（図５参照）が位置して固定弁２３の孔２３ｅと孔２３ｆとを連通させ、原水流入路３１からの原水が孔２３ｅから連通路２４ｆを介して孔２３ｆへ変向し、孔２３ｆから原水流出路３２を介して浄水器４０の原水入口４０ｃから浄水器４０内へ流入する。
これにより、原水流入路３１から水栓部１１に流入する原水が、可動弁２４の連通路２４ｆを介して固定弁２３の２つの孔２３ｅ，２３ｆを結び付けて流路を方向転換し、原水流出路３２と原水入口４０ｃとを介して原水を浄水器４０の中へ流入することができるようになる。
【００３８】
この複合水栓１０を備えた浄水装置３０では、水栓部１１とビルトイン型の浄水器４０との間の配管によって、止水時からの原水吐出と浄水吐出との順序が設定される。
例えば、図７に示すように、止水時（図８参照）からレバーハンドル２６を回動して、まず原水を吐出し（図９参照）、その次に浄水を吐出する（図１０参照）順序になるように設定する場合では、図４に示すように、原水流出路３２を浄水器４０の原水入口４０ｃと接続し、浄水流路３３を浄水器４０の浄水出口４０ａと接続し、原水流路３４を浄水器４０の原水出口４０ｂと接続するように配管する。
これにより、レバーハンドル２６を止水状態を基点として吐出側へ回動すると、図４，９に示すように、可動弁２４の貫通孔２４ｅを形成する穴２４ｃ，２４ｄが固定弁２３の孔２３ｄと重なる位置に達して浄水器４０の原水出口４０ｂと連通する下流側の原水流路３４が通水可能になるとともに、可動弁２４の扇形の連通路２４ｆが固定弁２３の孔２３ｅ，２３ｆの上方に位置して、連通路２４ｆを介して孔２３ｅと孔２３ｆとを連通させ、一次側原水が水栓部１１を経由して浄水器４０に流入し、非浄化の状態で通水して原水流路３４を介して水栓部１１側へ流出し、原水のまま吐出することができるようになる。
【００３９】
その後、レバーハンドル２６を同じ方向へさらに回動すると、図４，１０に示すように、可動弁２４の貫通孔２４ｅを形成する穴２４ｃ，２４ｄが固定弁２３の孔２３ｃと重なる位置に達して浄水器４０の浄水出口４０ａと連通する下流側の浄水流路３３が通水可能になり、同時に、可動弁２４の扇形の連通路２４ｆは固定弁２３の孔２３ｅ，２３ｆの上方に位置した状態を維持して、連通路２４ｆを介して孔２３ｅと孔２３ｆとを連通させた状態を維持し、一次側原水が水栓部１１を経由して浄水器４０に流入し、浄水器４０により浄化されて浄水流路３３を介して水栓部１１側へ流出し、浄水を吐出することができるようになる。
【００４０】
水質浄化用の浄化材入りカートリッジ４３を内蔵した浄水器４０は、図４に示すように、１つの原水入口４０ｃと、浄水出口４０ａと原水出口４０ｂとの２つの出口とを備え、浄水器内部では原水入口４０ｃから浄化材入りカートリッジ４３の上流側表面が流路の一部を形成する箇所までを上流側流路４０ｅとし、その上流側流路４０ｅを経て原水出口４０ｂに至る経路を水質を浄化しない浄水器内部における原水流路４１とし、この原水流路４１の上流側流路４０ｅから浄化材入りカートリッジ４３を透過して浄水出口４０ａに至る経路を浄水流路４２として形成する。
これにより、浄水吐出の場合には原水が浄水器内部の浄化材入りカートリッジ４３を透過する過程で水質が浄化され、原水吐出の場合には原水が原水流路４１を通過するときに浄化材入りカートリッジ４３の表面に付着或は堆積した汚染物を洗い流すようになる。
【００４１】
〔作用効果〕
このように構成した実施形態では、レバーハンドル２６が止水位置（図７）にある場合、図８に示すように、レバーハンドル２６が取り付けられた回動軸部材２５に一体に回動するように組み付けられた可動弁２４とその可動弁２４が面接触する固定弁２３との相対的な位置関係は、可動弁２４の貫通孔２４ｅ（穴２４ｄ）が固定弁２３の孔２３ｄと孔２３ｅとの間の非穿孔部位に位置して吐出側の流路３３、３４が閉じられるとともに、可動弁２４の扇形の連通路２４ｆが固定弁２３の孔２３ｃと孔２３ｆとの両方に跨る位置となって一次側原水に接続する原水流入路３１が閉じられ、水栓部１１の流入及び吐出の両流路３１，３２，３３，３４が閉鎖されて通水ができない状態になる。このとき、可動弁２４の連通路２４ｆが固定弁２３の孔２３ｃと孔２３ｆとの両方に跨る位置になっているから、原水流出路の原水と浄水流路の浄水とが混ざり合える状態になって浄水のみが密封されることがなくなり、原水中の塩素分によって水栓部１１の可動弁２４の上流側に位置する閉鎖流路内で雑菌が繁殖することを防止できるようになる。
【００４２】
レバーハンドル２６を回動して止水位置から原水吐出位置（図７）に変えると、図９に示すように、可動弁２４の貫通孔２４ｅ（穴２４ｄ）の位置が固定弁２３の孔２３ｄの穿設位置に移り、原水流路３４と回動軸部材２５の通水路２５ａとを連通させて吐出側の流路を原水吐出に変え、また、可動弁２４の連通路２４ｆは固定弁２３の孔２３ｅ，２３ｆの両方に跨る位置となって原水流入路３１と原水流出路３２とを連通させて、原水流入に係る流路と、原水吐出に係る流路とをすべて連通させて、原水が吐出できるようにする。
可動弁２４が貫通孔２４ｅを固定弁２３の孔２３ｄに合わせている原水吐出時には、図４に示すように、浄水器４０の原水入口４０ｃへ流入した原水が、浄化材入りカートリッジ４３の表面を流路の一部とする原水流路４０ｅを通過して，表面に付着或は堆積した汚染物を洗い流し、原水出口４０ｂから流出し、原水流路３４を介して固定弁２３の孔２３ｄと可動弁２４の貫通孔２４ｅとを通過して吐出パイプ部１２の吐出口１２ａから吐出される。
【００４３】
その後、レバーハンドル２６を回動して原水吐出位置から浄水吐出位置（図７）に変えると、図１０に示すように、可動弁２４の扇形の連通路２４ｆが固定弁２３の孔２３ｅ，２３ｆの両方に跨る位置を維持しながら、可動弁２４の貫通孔２４ｅ（穴２４ｄ）の位置を固定弁２３の孔２３ｃの穿設位置に移して、浄水流路３３と回動軸部材２５の通水路２５ａとを連通させ、原水流出路３２から浄水器４０に流入して浄化され、浄水が水栓部１１を経由して吐出できるようにする。
可動弁２４が貫通孔２４ｅを固定弁２３の孔２３ｃに合わせている浄水吐出時には、図４に示すように、原水入口４０ｃへ流入した原水が、浄化材入りカートリッジ４３を透過して浄化され、その浄水が浄水出口４０ａから流出し、浄水流路３３を介して固定弁２３の孔２３ｃと可動弁２４の貫通孔２４ｅとを通過して通水路２５ａを介して水栓部１１の上端部から吐出パイプ部１２へ流入し、吐出パイプ部１２を通過して吐出口１２ａから吐出される。
【００４４】
このようにして、原水吐出の場合には原水が原水流路４１を通過するときに浄化材入りカートリッジ４３の表面に付着或は堆積した汚染物を洗い流し、浄水吐出の場合には原水が浄水器内部の浄化材入りカートリッジ４３を透過する過程で水質が浄化され、止水状態に戻す場合には、浄水の吐出が止まって原水が流路を流れ、原水が浄水器４０の原水流路４１を通過するときに浄化材入りカートリッジ４３の表面に付着或は堆積した汚染物を洗い流し、汚染物を洗い流した後では止水状態になるまで原水を流出させて流路に原水を充満させるため、止水状態になると流路に原水を留めて、原水中に含まれる塩素等の殺菌剤により雑菌の繁殖を抑制し、複合水栓の内部に滞留している水の水質の悪化を防止することができる。
【００４５】
〔別態様〕
この実施形態及び実施例は、発明の主旨を理解し易くするため具体的に説明しているが、発明内容を限定するものではないから、特に説明されていない別の態様を制限するものではなく、適宜変更しても良い。
このような意味で発明の主旨に沿う別態様を以下に示す。例えば、
前記複合水栓１０を備えた浄水装置３０では、水栓部１１と浄水器４０との間の配管が、止水時からまず原水吐出に移行し、その後に浄水吐出に移行する順序で設定されているが、順序を変えて、止水時からまず浄水吐出に移行し、その後に原水吐出に移行する順序に設定しても良い。
【００４６】
〔構成〕
操作順序が止水状態から浄水吐出に移行し、その後に浄水吐出から原水吐出に移行する順序に設定された浄水装置５０の場合（図１１参照）は、図１２に示すように、一次側原水が固定弁２３の孔２３ｅを介して流入する原水流入路５１を水栓部１１の原水流路の上流側接続部（図示せず）に接続し、固定弁２３の孔２３ｆを介して浄水器４０へ原水を供給する原水流出路５２を浄水器４０の原水入口４０ｃと接続し、浄水流路５３を浄水器４０の浄水出口４０ａと接続し、原水流路５４を浄水器４０の原水出口４０ｂと接続するように配管する。
このように配管すると、止水状態を基点として吐出側へレバーハンドル２６を回動する場合（図１１，１３）、可動弁２４の貫通孔２４ｅを形成する穴２４ｃ，２４ｄが固定弁２３の孔２３ｄと重なる位置に達して浄水器４０の浄水出口４０ａと連通する浄水流路５３が通水可能になるとともに、可動弁２４の扇形の連通路２４ｆが固定弁２３の孔２３ｅ，２３ｆの上方に位置して、連通路２４ｆを介して孔２３ｅと孔２３ｆとを連通させ、一次側原水が水栓部１１を経由して浄水器４０に流入して浄化され、その浄化された水を浄水流路５３を介して水栓部１１側へ戻し、吐出パイプ部１２の吐出口１２ａから浄水を吐出するようになる。
【００４７】
そして、浄水吐出から原水吐出へ移行する場合（図１１，１４）には、レバーハンドル２６を同じ方向へさらに回動すると、可動弁２４の貫通孔２４ｅを形成する穴２４ｃ，２４ｄが固定弁２３の孔２３ｃと重なる位置に達して浄水器４０の原水出口４０ｂと連通する原水流路５４が通水可能になり、同時に、可動弁２４の扇形の連通路２４ｆは固定弁２３の孔２３ｅ，２３ｆの上方に位置して、連通路２４ｆを介して孔２３ｅと孔２３ｆとを連通させた状態を維持し、一次側原水が水栓部１１を経由して浄水器４０に流入し、浄水器４０の浄化材入りカートリッジ４３の上流側表面を流路の一部とする上流側流路４０ｅを通過することにより、浄化材入りカートリッジ４３の表面に付着或は堆積した汚染物を洗い流し、浄水器４０から原水流路５４を介して水栓部１１側へ流出し、さらに水栓部１１を経由して吐出パイプ部１２の吐出口１２ａから洗い流した汚染物とともに原水を吐出し、汚染物の流出後には原水のみが吐出して通常の使用状態となる。
このように構成したことにより、浄水吐出の場合には原水がカートリッジ内部の浄化材入りカートリッジ４３を透過する過程で水質が浄化され、原水吐出の場合には原水が浄水器４０の原水入口４０ｃから原水出口４０ｂまで通過する間に浄化材入りカートリッジ４３の表面に付着或は堆積した汚染物を洗い流す。
【００４８】
〔作用効果〕
このように構成した別態様の浄水装置５０では、レバーハンドル２６が止水位置（図１１）にある場合、図１２に示すように、可動弁２４とその可動弁２４が面接触する固定弁２３との相対的な位置関係は、可動弁２４の貫通孔２４ｅが固定弁２３の孔２３ｄと孔２３ｅとの間の非穿孔部位に位置し、吐出側の流路５３、５４が閉じられるとともに、可動弁２４の扇形の連通路２４ｆが固定弁２３の孔２３ｃと孔２３ｆとの両方に跨る位置となって原水流入路５１が閉じられ、水栓部１１の流入及び吐出の両流路５１，５３，５４が閉鎖されて通水できない状態になる。
【００４９】
レバーハンドル２６を回動して止水位置から浄水吐出位置（図１１）に変えると、図１３に示すように、可動弁２４の扇形の連通路２４ｆが固定弁２３の孔２３ｅ，２３ｆの両方に跨る位置に移行して原水流入路５１と原水流出路５２とを連通し、可動弁２４の貫通孔２４ｅの位置を固定弁２３の孔２３ｄの穿設位置に移し、浄水流路５３と回動軸部材２５の通水路２５ａ（図３参照）とを連通して、原水流入側の流路を開くとともに吐出側の流路を開き、一次側原水入口から流入した原水が浄水器４０で浄化され、水栓部１１を経由して吐出できるようになる。
可動弁２４が貫通孔２４ｅを固定弁２３の孔２３ｄに合わせている浄水吐出時には、原水入口４０ｃへ流入した原水が、浄化材入りカートリッジ４３を透過して浄化され、その浄化水が浄水出口４０ａから浄水流路５３を介して固定弁２３の孔２３ｄと可動弁２４の貫通孔２４ｅとを通過し、水栓部１１の頂部に突設された吐出パイプ部１２の吐出口１２ａから吐出される。
【００５０】
その後、レバーハンドル２６を回動して浄水吐出位置から原水吐出位置（図１１）に変えると、図１４に示すように、可動弁２４の扇形の連通路２４ｆが固定弁２３の孔２３ｅ，２３ｆの両方に跨る状態を維持し、原水流入路５１と原水流出路５２との連通を維持することにより、原水流入路５１を引き続き開き、可動弁２４の貫通孔２４ｅの位置が固定弁２３の孔２３ｃの穿設位置に移り、原水流路５４と回動軸部材２５の通水路２５ａ（図３参照）とを連通させ、吐出側の流路を原水吐出に変えて原水を吐出できるようにする。
可動弁２４が貫通孔２４ｅを固定弁２３の孔２３ｄに合わせている原水吐出時には、原水が浄水器４０の原水入口４０ｃへ流入し、浄化材入りカートリッジ４３の表面を流路の一部とする原水流路４０ｅを通過して，表面に付着或は堆積した汚染物を洗い流し、原水出口４０ｂから流出し、原水流路５４を介して固定弁２３の孔２３ｃと可動弁２４の貫通孔２４ｅとを通過し、水栓部１１の頂部に突設された吐出パイプ部１２を通過して吐出口１２ａから吐出される。
【図面の簡単な説明】
【００５１】
【図１】本発明における複合水栓の実施形態を示す外観図であり、（Ａ）は正面図、（Ｂ）は側面図、（Ｃ）は平面図である。
【図２】図１（Ｃ）におけるＤ−Ｄ線で示す側面断面図である。
【図３】同上実施形態の水栓部を示す拡大側面断面図である。
【図４】同上実施形態における可動弁と固定弁の浄水器との接続状態を示す流路説明図である。
【図５】同上実施形態の固定弁を示す説明図であり、（Ａ）は平面図、（Ｂ）は（Ａ）におけるＢ−Ｂ線で示す断面図、（Ｃ）は（Ａ）におけるＣ−Ｃ線で示す断面図である。
【図６】同上実施形態の可動弁を示す説明図であり、（Ａ）は平面図、（Ｂ）は（Ａ）におけるＡ−Ａ線で示す断面図、（Ｃ）は底面図である。
【図７】同上実施形態における水栓部を上方から見た操作レバーの位置を示す操作説明図である。
【図８】同上実施形態による水栓の止水時の状態を示す弁体位置説明図であり、（Ａ）は水栓の破断位置を示す平面説明図、（Ｂ）は（Ａ）におけるＢ−Ｂ線で示す水栓部の縦断面図、（Ｃ）は（Ｂ）におけるＣ−Ｃ線で示す固定弁の横断面図、（Ｄ）は（Ｂ）におけるＤ−Ｄ線で示す可動弁の横断面図である。
【図９】同上実施形態による原水吐出時の状態を示す弁体位置説明図であり、（Ａ）は水栓の破断位置を示す平面説明図、（Ｂ）は（Ａ）におけるＢ−Ｂ線で示す水栓部の縦断面図、（Ｃ）は（Ｂ）におけるＣ−Ｃ線で示す固定弁の横断面図、（Ｄ）は（Ｂ）におけるＤ−Ｄ線で示す可動弁の横断面図である。
【図１０】同上実施形態による浄水吐出時の状態を示す弁体位置説明図であり、（Ａ）は水栓の破断位置を示す平面説明図、（Ｂ）は（Ａ）におけるＢ−Ｂ線で示す水栓部の縦断面図、（Ｃ）は（Ｂ）におけるＣ−Ｃ線で示す固定弁の横断面図、（Ｄ）は（Ｂ）におけるＤ−Ｄ線で示す可動弁の横断面図である。
【図１１】同上実施形態に対する別態様の水栓部を上方から見た操作レバーの位置を示す操作説明図である。
【図１２】同上別態様における可動弁と固定弁の浄水器との接続状態を示す流路説明図である。
【図１３】同上別態様による浄水吐出時の状態を示す弁体位置説明図であり、（Ａ）は水栓の破断位置を示す平面説明図、（Ｂ）は（Ａ）におけるＢ−Ｂ線で示す水栓部の縦断面図、（Ｃ）は（Ｂ）におけるＣ−Ｃ線で示す固定弁の横断面図、（Ｄ）は（Ｂ）におけるＤ−Ｄ線で示す可動弁の横断面図である。
【図１４】同上実施形態による原水吐出時の状態を示す弁体位置説明図であり、（Ａ）は水栓の破断位置を示す平面説明図、（Ｂ）は（Ａ）におけるＢ−Ｂ線で示す縦断面図、（Ｃ）は（Ｂ）におけるＣ−Ｃ線で示す固定弁の横断面図、（Ｄ）は（Ｂ）におけるＤ−Ｄ線で示す可動弁の横断面図である。
【符号の説明】
【００５２】
１０  （シングルレバー操作の）複合水栓
１１  水栓部
１２  吐出パイプ部
１２ａ  吐出口
１３  本体アダプター
１３ａ  固定ビス
１４  バルブ固定アダプター
１４ａ，１５ａ  吐出側通水路
１５  パイプ固定ナット
１６  本体カバー上
１６ａ  孔
１７  本体カバー中
１８  本体カバー下
１９  天板取付ユニット
２０  切換弁本体
２０ａ  凹部
２０ｂ  貫通孔
２１  ケース下（切換弁ケース）
２２  ケース上（切換弁ケース）
２３  固定弁
２３ａ，２３ｂ  切込部
２３ｃ  孔（浄水流路）
２３ｄ  孔（原水流路）
２３ｅ  孔（原水流入路）
２３ｆ  孔（原水流出路）
２４  可動弁
２４ａ  凹み部
２４ｂ  窪み
２４ｃ，２４ｄ  穴
２４ｅ  貫通孔
２４ｆ  連通路
２５  回動軸部材
２５ａ  通水路
２６  レバーハンドル
３０，５０  浄水装置
３１，５１  原水流入路（一次側原水を通水する流路）
３２，５２  原水流出路（一次側原水を通水する流路）
３３，５３  浄水流路（浄水の帰還流路）
３４，５４  原水流路（原水の帰還流路）
４０  （ビルトイン型の）浄水器
４０ａ  浄水出口
４０ｂ  原水出口
４０ｃ  原水入口
４０ｅ  上流側流路（原水流路）
４１  原水流路
４２  浄水流路
４３  浄化材入りカートリッジ
【図１】
2005172169.tif 000003
【図２】
2005172169.tif 000004
【図３】
2005172169.tif 000005
【図４】
2005172169.tif 000006
【図５】
2005172169.tif 000007
【図６】
2005172169.tif 000008
【図７】
2005172169.tif 000009
【図８】
2005172169.tif 000010
【図９】
2005172169.tif 000011
【図１０】
2005172169.tif 000012
【図１１】
2005172169.tif 000013
【図１２】
2005172169.tif 000014
【図１３】
2005172169.tif 000015
【図１４】
2005172169.tif 000016